(57)【特許請求の範囲】
【請求項１】
空気調和機等の空気流路部分に装着される形状で高圧電源部を開閉する開閉手段を設けた保持ユニットと、
この保持ユニットに着脱自在に装着される集塵ユニットとを備えた電気集塵ユニットであって、
前記集塵ユニットには、前記開閉手段と係合するスイッチ操作リブを設け、
前記保持ユニットには、一方を前記開閉手段側にして、向かい合わせて一対の落下防止支持体を設け、
前記集塵ユニットは、前記開閉手段側の側面を一方の前記落下防止支持体と前記スイッチ操作リブそれぞれの係合により、対向する他方の側面を他方の前記落下防止支持体の係合により２つの側面を挟持されるとともに、
前記開閉手段側に設けた前記落下防止支持体は、他方の前記落下防止支持体よりも支持力が小さい電気集塵ユニット。
【請求項２】
前記落下防止支持体は、球面形状の頭部と、この頭部を押圧するコイルスプリングにより形成し、
前記コイルスプリングの形状または材質を変えて前記落下防止支持体の支持力を異なるものとした請求項１記載の電気集塵ユニット。
【請求項３】
前記コイルスプリングを収納する収納部を設け、この収納部の収納寸法を変えて支持力を異なるものとした請求項２記載の電気集塵ユニット。
【請求項４】
前記集塵ユニットの上端両側部に平行な一対のレール部を設け、このレール部をスライド可能に支持する一対の庇部を前記保持ユニットに形成した請求項１〜３いずれか一つに記載の電気集塵ユニット。
【発明の詳細な説明】
【技術分野】
【０００１】
本発明は空気調和機等の空気流路部分に装着されて使用される電気集塵ユニットに関する。
【背景技術】
【０００２】
従来、この種の電気集塵ユニットの一例として空気調和機の電気空気清浄装置が知られている（例えば、特許文献１参照）。
【０００３】
以下、その電気空気清浄装置について図１５を参照しながら説明する。
【０００４】
図に示すように、空気清浄装置の保持枠１０１と、保持枠１０１の端部に配設された高圧電源部１０２と、高圧電源部１０２からの高電圧端子１０３とアース端子１０４とを備え、高電圧端子１０３とアース端子１０４との接点部１０５を持ち、保持枠１０１に取り外し自在に設けられるフィルター本体１０６により構成されている。
【特許文献１】特開２００３−１０６５５２号公報（［００１６］〜［００１７］、図１）
【発明の開示】
【発明が解決しようとする課題】
【０００５】
このような従来の電気空気清浄装置では、保持枠１０１に装着されるフィルター本体１０６の左右何れか一方側のみ高電圧端子１０３とアース端子１０４とを設けているため、保持枠１０１からフィルター本体１０６を取り外すときに、高電圧端子１０３とアース端子１０４による抵抗により、フィルター本体１０６がこじれて取り外しにくいという課題があり、集塵ユニット（フィルター本体に相当）の取り外し時に集塵ユニットがこじれないようにすることが要求されている。
【０００６】
本発明は、このような従来の課題を解決するものであり、保持ユニットから集塵ユニットを取り外すときに、集塵ユニットがこじれないようにして着脱が容易にできる電気集塵ユニットを提供することを目的としている。
【課題を解決するための手段】
【０００７】
本発明の電気集塵ユニットは、上記目的を達成するために、高圧電源部を開閉する開閉手段を設けた保持ユニットと、この保持ユニットに装着される集塵ユニットとを備え、前記集塵ユニットには、前記開閉手段と係合するスイッチ操作リブを設け、前記保持ユニットには、一方を前記開閉手段側にして、向かい合わせて一対の落下防止支持体を設け、前記集塵ユニットは、前記開閉手段側の側面を一方の前記落下防止支持体と前記スイッチ操作リブそれぞれの係合により、対向する他方の側面を他方の前記落下防止支持体の係合により２つの側面を挟持されるとともに、前記開閉手段側に設けた前記落下防止支持体は、他方の前記落下防止支持体よりも支持力が小さいものである。
【０００８】
この手段により、集塵ユニットをこじれることなく引き出すことができる電気集塵ユニットが得られる。
【０００９】
また、他の手段は、落下防止支持体を球面形状の頭部と、この頭部を押圧するコイルスプリングにより形成し、コイルスプリングの形状または材質を変えて落下防止支持体の支持力を異なるものとしたものである。
【００１０】
この手段により、コイルスプリングの支持力を形状や材質を変える簡単な対応により異なる支持力に形成することができる電気集塵ユニットが得られる。
【００１１】
また、他の手段は、コイルスプリングを収納する収納部を設け落下防止支持体を形成し、収納部の収納寸法を変えて支持力を変える構成としたものである。
【００１２】
この手段により、一種類のコイルスプリングで対応することができ、部品の標準化を図ることができる電気集塵ユニットが得られる。
【００１３】
また、他の手段は、集塵ユニットの上端両側部に平行な一対のレール部を設け、このレール部をスライド可能に支持する一対の庇部を保持ユニットに形成したものである。
【００１４】
この手段により、開閉手段の左右位置に関係なく、集塵ユニットをこじれることなく着脱することができる。
【発明の効果】
【００１５】
本発明によれば、集塵ユニットの取り外し時におけるこじれを防止できる電気集塵ユニットを提供できる。
【００１６】
また、落下防止支持体における部品の標準化および共用化を図ることができる。
【００１７】
また、保持ユニットの開閉手段の取付位置にかかわらず、集塵ユニットをスムーズに着脱することができる。
【発明を実施するための最良の形態】
【００１８】
本発明の請求項１記載の発明は、空気調和機等の空気流路部分に装着される形状で高圧電源部を開閉する開閉手段を設けた保持ユニットと、この保持ユニットに着脱自在に装着される集塵ユニットとを備えた電気集塵ユニットであって、前記集塵ユニットには、前記開閉手段と係合するスイッチ操作リブを設け、前記保持ユニットには、一方を前記開閉手段側にして、向かい合わせて一対の落下防止支持体を設け、前記集塵ユニットは、前記開閉手段側の側面を一方の前記落下防止支持体と前記スイッチ操作リブそれぞれの係合により、対向する他方の側面を他方の前記落下防止支持体の係合により２つの側面を挟持されるとともに、前記開閉手段側に設けた前記落下防止支持体は、他方の前記落下防止支持体よりも支持力が小さいものであり、開閉手段を操作するスイッチ操作リブを設けた集塵ユニットの高圧受給端子のある側面の方が接触抵抗が大きくなり、集塵ユニットを取り外すときのアンバランスが生じるので、落下防止支持体の支持力を小さくすることにより集塵ユニットの取り外し時のこじれを防止することができる作用を有する。
【００１９】
また、落下防止支持体を球面形状の頭部と、この頭部を押圧するコイルスプリングにより形成し、前記コイルスプリングの形状または材質を変えて落下防止支持体の支持力を異なるものとしたものであり、落下防止支持体の支持力を変えるために、コイルスプリング以外の部材を用いる必要がなく構造を簡素化できるとともに、コイルスプリングを収納する収納部の共用化を図ることができる作用を有する。
【００２０】
また、コイルスプリングを収納する収納部を設けて落下防止支持体を形成し、前記収納部の収納寸法を変えて支持力を異なるものとしたものであり、一定の形状に形成したコイルスプリングを使用することができるので部品の標準化を図ることができる作用を有する。
【００２１】
また、集塵ユニットの上端両側部に平行な一対のレール部を設け、このレール部をスライド可能に支持する一対の庇部を保持ユニットに形成したものであり、集塵ユニットのレール部が保持ユニットの庇部に案内されるようスライドすることにより、集塵ユニットと保持ユニットの間に開閉手段のような接触抵抗が存在しても、庇部のスライド方向に姿勢を保ちつつ集塵ユニットを引き出すことができる作用を有する。
【００２２】
以下、本発明の実施の形態について図面を参照しながら説明する。
【００２３】
（参考例１）
図１〜４に示すように、保持ユニット９は空気調和機等の空気流路部分に固定して装着され、保持ユニット９には集塵ユニット１０が着脱自在に装着される。保持ユニット９の内側面に板ばね状の高圧供給端子１と球面形状の頭部２とコイルスプリング３により形成されるアース接続端子４および高圧電源部５の高圧電源回路を開閉するリミットスイッチ６を設け、さらにリミットスイッチ６を作動する折り曲げ弾性体７よりなる開閉手段８を設けている。
【００２４】
集塵ユニット１０は両側面にリミットスイッチ６の開閉手段８を操作するスイッチ操作リブ１１を設けて両側面を同一形状で逆方向に向いた略逆向対称形状としている。保持ユニット９にはアース端子１２、高圧受給端子１３、リミットスイッチ６および折り曲げ弾性体７をどちらかの側面に取り付け可能に設ける。
【００２５】
また、集塵ユニット１０には複数の針状電極１４を設けた針状電極プレート１５を設け、針状電極プレート１５には高圧需給端子１３が電気的に接続されるように設け、高電圧が印加されてイオン化された塵埃を集塵するフィルター（図示せず）を設け構成する。
【００２６】
上記構成において、高圧供給端子１およびアース接続端子４が図２に示すように、保持ユニット９の右側位置にある場合には、図１に示すように集塵ユニット１０の右側の側面にアース端子１２および高圧受給端子１３を取り付けて集塵ユニット１０を形成する。保持ユニット９に集塵ユニット１０を装着すると集塵ユニット１０に設けたスイッチ操作リブ１１によりリミットスイッチ６を作動する開閉手段８が可動して、リミットスイッチ６が作動するとともに、保持ユニット９に設けた高圧供給端子１およびアース接続端子４に、集塵ユニット１０に設けた高圧受給端子１３およびアース端子１２が電気的に接続されて集塵が行なわれる。
【００２７】
また、高圧供給端子１およびアース接続端子４が図４に示すように保持ユニット９の左側位置にある場合には図３に示すように、集塵ユニット１０の左側の側面にアース端子１２および高圧受給端子１３を取り付けて集塵ユニット１０を形成することにより、前記に示した右側に設けた場合と同様の作用により集塵を行なうことができる。
【００２８】
このことにより、高圧供給端子１およびアース接続端子４を設けた高圧電源部分が保持ユニット９の左右どちら側にあっても、集塵ユニット１０に設けられる高圧受給端子１３およびアース端子１２を左右入れ換えることにより保持ユニット９に対応する集塵ユニット１０を形成することができ、集塵ユニット１０の共用化を図ることができる。
【００２９】
（実施の形態１）
図５〜図８に示すように、高圧電源回路の開閉手段８Ａを操作するスイッチ操作リブ１１Ａを集塵ユニット１０Ａに設け、集塵ユニット１０Ａの装着される保持ユニット９Ａの装着壁面に集塵ユニット１０Ａを挟持する一対の落下防止支持体１７，１７Ａを設ける。一方側の落下防止支持体１７Ａはアース接続端子を兼用するように設け、落下防止支持体１７，１７Ａを球面形状の頭部２と、この頭部２を押圧するコイルスプリング３，３Ａにより形成し、コイルスプリング３，３Ａを収納する収納部１８を設ける。コイルスプリング３Ａは線径等を変える形状の変更や、硬質線材で形成したり、弾力性の弱い軟質線材で形成して落下防止支持体１７Ａを支持力の異なるものに形成する。本実施例では落下防止支持体１７Ａの支持力を他方の落下防止支持体より小さく形成して構成する。
【００３０】
上記構成において、保持ユニット９Ａから集塵ユニット１０Ａを引き出すときには、集塵ユニット１０Ａの右側では、スイッチ操作リブ１１Ａが開閉手段８Ａに係合している係合力に落下防止支持体１７の係合力が加わり作用する。これに対して集塵ユニット１０Ａの左側では保持ユニット９Ａに設けた落下防止支持体１７のみの係合力が作用する。
【００３１】
ここで、落下防止支持体１７Ａの係合力を他方の落下防止支持体１７より小さく調整することにより、集塵ユニット１０Ａに対する左右からの支持力が略同程度となり、集塵ユニット１０Ａが左側に傾くことなく引き出されることとなる。
【００３２】
すなわち、保持ユニット９Ａに設けられる開閉手段８Ａを操作するスイッチ操作リブ１１Ａおよび高圧受給端子１３Ａとアース端子１２Ａを設けた集塵ユニット１０Ａの側面の方が接触抵抗が大きく、左右の支持力がアンバランスな状態であったものを落下防止支持体１７Ａの支持力を小さくして左右略均等とすることで、集塵ユニット１０Ａの取り外し時のこじれを防止することができる。
【００３３】
また、落下防止支持体１７Ａを頭部２とコイルスプリング３Ａにより形成し、コイルスプリング３Ａの巻数や巻径または鋼材の種類を変えて、落下防止支持体１７Ａの支持力を落下防止支持体１７より小とすることにより、左右のコイルスプリング３，３Ａの形状または材質を変更するだけで、集塵ユニット１０Ａをこじれなく取り外すことができ、構造を簡素化できるとともに、コイルスプリング３Ａを収納する収納部１８を共用寸法とすることができる。
【００３４】
（実施の形態２）
図９および図１０に示すように、コイルスプリング３Ｂの先端に頭部２Ｂを一体に設けて落下防止支持体１７Ｂを形成し、保持ユニット（図示せず）の左右内側面に設けた収納部１８Ａ，１８Ｂに落下防止支持体１７Ｂを収納する。ここで一方の収納部１８Ｂの収納寸法を変えて、支持力を異なるものとした構成とする。
【００３５】
上記構成において、収納部１８Ｂの収納寸法を変える一例として、収納部１８Ｂの奥部に寸法調整部材１９を設ける。このことにより一定の長さのコイルスプリング３Ｂは寸法調整部材１９を設けた寸法だけ圧縮状態となり、頭部２Ｂによる支持力を大きく形成できる。
【００３６】
このように落下防止支持体１７Ａの反対側に設けられる落下防止支持体１７Ｂに用いることで集塵ユニット（図示せず）に対する係合力のアンバランスを解消し、集塵ユニットがこじれることなく引き出すことができるとともに、同一形状のコイルスプリング３Ｂを使用することができ、部品の標準化を図ることができる。
【００３７】
（参考例２）
図１１〜図１３に示すように、保持ユニット９Ｂに設けられる形状で両側面を略逆向対称形状とした、高圧電源部５Ａを有した高圧電源ユニット２０と、高圧電源ユニット２０のどちらの側面にも集塵ユニットが取付可能な高圧供給端子１Ａおよびアース接続端子４Ｃを設け、高圧供給端子１Ａおよびアース接続端子４Ｃに適合するように集塵ユニット１０Ｂに高圧受給端子１３Ｂとアース端子１２Ｂを配設し構成する。
【００３８】
上記構成において、高圧電源ユニット２０の左側に集塵ユニット１０Ｂを配設するときには、高圧電源ユニット２０の左側に高圧電源部５Ａを開閉するリミットスイッチ６Ａと、このリミットスイッチ６Ａを開閉する開閉手段８Ｂおよび高圧供給端子１Ａとアース接続端子４Ｃを取り付ける。集塵ユニット１０Ｂの右側の側面に前記高圧供給端子１Ａとアース接続端子４Ｃに適合する高圧受給端子１３Ｂとアース端子１２Ｂを設ける。また、図中の２点鎖線で示すように高圧電源ユニット２０の右側に集塵ユニット１０Ｂを設けるときには、高圧電源ユニット２０の右側にリミットスイッチ６Ａと開閉手段８Ｂおよび高圧供給端子１Ａとアース接続端子４Ｃを取り付け、集塵ユニット１０Ｂの左側に高圧受給端子１３Ｂとアース端子１２Ｂを設けることで対応することにより高圧電源ユニット２０が保持ユニットの左右どちらにある仕様でも高圧電源ユニット２０の部品を一部入れ換えることにより取り付けができ高圧電源ユニット２０の共用化を図ることができる。
【００３９】
（参考例３）
図１４に示すように、両側面を略逆向対称形状で、高圧電源部（図示せず）および高圧供給端子１Ｂとアース接続端子４Ｄを設けた高圧電源ユニット２０Ａの両側に保持ユニット９Ｃを設け、保持ユニット９Ｃに集塵ユニット１０Ｃを装着した構成とする。
【００４０】
上記構成において、高圧電源ユニット２０Ａの両側に設けられる保持ユニット９Ｃを介して集塵ユニット１０Ｃを装着し、電気集塵ユニットを大形に形成できることとなり、家庭用の電気集塵ユニットに対応できるように形成した高圧電源ユニット２０Ａと保持ユニット９Ｃおよび集塵ユニット１０Ｃが業務用や産業用の仕様に対応することができ、別個に業務用や産業用の電気集塵ユニットを造る必要がなくなり、コストの低減や部品管理を容易にすることができる。
【００４１】
（実施の形態３）
図１５に示すように、集塵ユニット１０Ｄの上端両側部に平行な一対のレール部２１を形成し、このレール部２１は集塵ユニット１０Ｄの先端から中央付近まで縦長に形成されている。集塵ユニット１０Ｄを着脱可能に装着する保持ユニット９Ｄは、レール部２１に対応する位置に一対の庇部２２を形成し、庇部２２の先端に垂壁部２２Ａを延設している。
【００４２】
上記構成において、保持ユニット９Ｄから集塵ユニット９Ｄから集塵ユニット１０Ｄを引き出すときには、スイッチ操作リブ（図示せず）が開閉手段（図示せず）に係合する係合力が作用して、スイッチ操作リブ側が先に引き出されるため、こじれやすくなっているが、集塵ユニット１０Ｄのレール部２１が保持ユニット９Ｄの庇部２２に案内されてスライドすることにより、円滑に前方に引き出すことができる。また、保持ユニット９Ｄに集塵ユニット１０Ｄを装着するときも、レール部２１を庇部２２に挿入して押し込むだけで、抵抗も少なく容易に取り付けることができる。
【産業上の利用可能性】
【００４３】
左右いずれかの側に取り付けることの技術を用いて、上下方向に長い業務用や産業用の電気集塵ユニットにも適用できる。
【図面の簡単な説明】
【００４４】
【図１】本発明の参考例１の電気集塵ユニットの集塵ユニットの正面図
【図２】同電気集塵ユニットの右側に高圧供給部を設けた保持ユニットの部分図
【図３】同電気集塵ユニットの左側に端子部分を設けた集塵ユニットの正面図
【図４】同電気集塵ユニットの左側に高圧供給部を設けた保持ユニットの部分図
【図５】本発明の実施の形態１の電気集塵ユニットの保持ユニットの正面図
【図６】同電気集塵ユニットの集塵ユニットの正面図
【図７】同電気集塵ユニットの図５に示すＡ部拡大図
【図８】同電気集塵ユニットの図５に示すＢ部拡大図
【図９】本発明の実施の形態２の電気集塵ユニットのアース端子側の落下防止支持体を示す部分図
【図１０】同電気集塵ユニットの反アース端子側の落下防止支持体を示す部分図
【図１１】本発明の参考例２の電気集塵ユニットの高圧電源ユニットの正面図
【図１２】同電気集塵ユニットの右側に端子を設けた集塵ユニットの部分図
【図１３】同電気集塵ユニットの左側に端子を設けた集塵ユニットの部分図
【図１４】本発明の参考例３の電気集塵ユニットの分解正面図
【図１５】（イ）本発明の実施の形態３の電気集塵ユニットの正面図（ロ）同電気集塵ユニットのＣ−Ｃ断面図（ハ）同電気集塵ユニットのＤ−Ｄ断面図
【図１６】従来の電気集塵ユニットの正面図
【符号の説明】
【００４５】
１  高圧供給端子
１Ａ  高圧供給端子
１Ｂ  高圧供給端子
２Ａ  頭部
２Ｂ  頭部
３Ａ  コイルスプリング
３Ｂ  コイルスプリング
４  アース接続端子
４Ａ  アース接続端子
４Ｂ  アース接続端子
４Ｃ  アース接続端子
４Ｄ  アース接続端子
８  開閉手段
８Ａ  開閉手段
９  保持ユニット
９Ａ  保持ユニット
９Ｂ  保持ユニット
９Ｃ  保持ユニット
９Ｄ  保持ユニット
１０  集塵ユニット
１０Ａ  集塵ユニット
１０Ｂ  集塵ユニット
１０Ｃ  集塵ユニット
１０Ｄ  集塵ユニット
１１Ａ  スイッチ操作リブ
１２  アース端子
１２Ａ  アース端子
１２Ｂ  アース端子
１３  高圧受給端子
１３Ｂ  高圧受給端子
１７  落下防止支持体
１７Ａ  落下防止支持体
１８Ａ  収納部
２０  高圧電源ユニット
２０Ａ  高圧電源ユニット
２１  レール部
２２  庇部
【図１】
0004752179.tif 000002
【図２】
0004752179.tif 000003
【図３】
0004752179.tif 000004
【図４】
0004752179.tif 000005
【図５】
0004752179.tif 000006
【図６】
0004752179.tif 000007
【図７】
0004752179.tif 000008
【図８】
0004752179.tif 000009
【図９】
0004752179.tif 000010
【図１０】
0004752179.tif 000011
【図１１】
0004752179.tif 000012
【図１２】
0004752179.tif 000013
【図１３】
0004752179.tif 000014
【図１４】
0004752179.tif 000015
【図１５】
0004752179.tif 000016
【図１６】
0004752179.tif 000017